(57)【要約】    【課題】居住者のみならず管理人や警備会社（の社員）による防犯設定の解除を容易として利便性を高めるとともに、泥棒等の不審者による警報の発報の解除を困難として防犯性を高める。    【解決手段】泥棒等の不審者が住戸内に侵入したことを防犯センサ３ａ、３ｂ、・・・が検知し、居室親機４ａ、４ｂ、・・・にて警報が発報されたとき、タッチパネル操作部４０５にて所定の操作が行われると、この操作を検出したＣＰＵ４１２は、警報の発報から一定時間の経過後において、順次読み出された座標情報（のパターン）とメモリ４１１に予め記憶（登録）されているユーザーパターンとを比較照合する、或いは、順次読み出された座標情報（のパターン）とユーザーパターンおよびマスターパターンのうち何れか一方のパターンとを比較照合する。比較照合された結果、一致したときには防犯設定を解除する一方、不一致のときには防犯設定を維持することができる。また、全ての居室親機のマスターパターンは、管理室親機５を使用して変更することができる。    【選択図】図１
2007116630.tif 000002
【特許請求の範囲】
【請求項１】
来訪者が居住者を呼び出して通話を成立させるための集合玄関機（１）と、前記集合玄関機からの呼び出しを確認した居住者が応答して前記来訪者との間で通話を成立させるとともに、防犯センサ（３ａ、３ｂ、・・・）が接続され前記防犯センサからの入力により警報を発報するための居室親機（４ａ、４ｂ、・・・）と、管理人が居住者との間で通話を成立させるための管理室親機（５）と、前記集合玄関機、前記居室親機、前記管理室親機をそれぞれ制御するための制御機（６ａ）とを備え、
前記居室親機は、前記防犯センサからの入力により前記警報を発報するためのスピーカ（４００）と、前記防犯センサの防犯設定および解除の操作を行うためのタッチパネル操作部（４０５）と、前記防犯設定を解除するため前記タッチパネル操作部の操作により順次読み出される座標情報を予めメモリ（４１１）に記憶されている座標情報と比較照合する制御を行い、前記比較照合された結果、一致したときには前記防犯設定を解除し、不一致のときには前記防犯設定を維持するためのＣＰＵ（４１２）とを有し、
前記ＣＰＵは、前記タッチパネル操作部の操作により入力されて前記メモリに記憶される座標情報として前記居住者によって使用されるユーザーパターン（Ｐ1）を新規登録し、その後に変更する機能を有し、
前記メモリは、前記管理人や警備会社によって使用されるマスターパターン（Ｐ2）を記憶し、
前記管理室親機は、全ての居室親機の前記マスターパターンを変更するためのパターン変更手段（５０４、５０５）を備えたことを特徴とする集合住宅インターホンシステム。
【請求項２】
来訪者が居住者を呼び出して通話を成立させるための集合玄関機（１）と、前記集合玄関機からの呼び出しを確認した居住者が応答して前記来訪者との間で通話を成立させるとともに、防犯センサ（３ａ、３ｂ、・・・）が接続され前記防犯センサからの入力により警報を発報するための居室親機（４ａ、４ｂ、・・・）と、前記集合玄関機、前記居室親機をそれぞれ制御するための制御機（６ｂ）と、前記警報の履歴等の情報を管理するための管理装置（７）とを備え、
前記居室親機は、前記防犯センサからの入力により前記警報を発報するためのスピーカ（４００）と、前記防犯センサの防犯設定および解除の操作を行うためのタッチパネル操作部（４０５）と、前記防犯設定を解除するため前記タッチパネル操作部の操作により順次読み出される座標情報を予めメモリ（４１１）に記憶されている座標情報と比較照合する制御を行い、前記比較照合された結果、一致したときには前記防犯設定を解除し、不一致のときには前記防犯設定を維持するためのＣＰＵ（４１２）とを有し、
前記ＣＰＵは、前記タッチパネル操作部の操作により入力されて前記メモリに記憶される座標情報として前記居住者によって使用されるユーザーパターン（Ｐ1）を新規登録し、その後に変更する機能を有し、
前記メモリは、管理人や警備会社によって使用されるマスターパターン（Ｐ2）を記憶し、
前記管理装置は、全ての居室親機の前記マスターパターンを変更するためのパターン変更手段（７００、７０１）を備えたことを特徴とする集合住宅インターホンシステム。
【発明の詳細な説明】
【技術分野】
【０００１】
本発明は、マンション等の集合住宅に設置される集合住宅インターホンシステムに係り、特に、防犯センサにて検知された警報を、居室親機等の各種機器にて発報させることができるセキュリティ機能を備えた集合住宅インターホンシステムに関する。
【背景技術】
【０００２】
従来から、この種のインターホンシステムとして、居住者による防犯設定の解除を容易として利便性を高めるとともに、泥棒等の不審者による警報の発報の解除を困難として防犯性を高めたセキュリティ機能付インターホンシステムが提案されている（例えば、特許文献１を参照。）。
【０００３】
背景技術に記載した特許文献１のセキュリティ機能付インターホンシステムによれば、居室親機のタッチパネル操作部の操作により順次読み出される座標情報出力パターンとメモリに予め記憶（登録）されている座標情報パターンとが一致したときに防犯設定が解除されることから、この座標情報パターンを予め知り得ている居住者のみが帰宅時等において防犯設定の解除を容易に行うことができ利便性が高められる。一方、座標情報パターンを予め知り得ていない泥棒等の不審者にとっては、住戸内への侵入による警報の発報の解除を行うことができず防犯性が高められる。
【０００４】
【特許文献１】特開２００３−３２４５３５号公報（段落番号「００２０」乃至「００４６」、第１図乃至第５図）
【発明の開示】
【発明が解決しようとする課題】
【０００５】
しかしながら、背景技術に記載した特許文献１のセキュリティ機能付インターホンシステムによれば、泥棒等の不審者による住戸内への侵入を発報するための警報が管理人や警備会社に移報されたとすると、これら管理人や警備会社（の社員）が住戸内に駆け付けて防犯設定の解除を行う場合、居住者が居室親機のメモリに予め記憶（登録）させておいた座標情報パターンを入力せねばならず、この座標情報パターンが居住者により予め変更されていた場合や管理人や警備会社（の社員）が予め知り得ていない場合には、防犯設定の解除を行うことができず迅速な対応が困難となる虞があった。
【０００６】
また、背景技術に記載した特許文献１のセキュリティ機能付インターホンシステムを、マンション等の集合住宅に適用した場合においても同様な難点があった。
【０００７】
本発明は、この難点を解消するためになされたもので、居住者のみならず管理人や警備会社（の社員）による防犯設定の解除を容易として利便性を高めるとともに、泥棒等の不審者による警報の発報の解除を困難として防犯性を高めたマンション等の集合住宅に適用可能な集合住宅インターホンシステムを提供することを目的としている。
【課題を解決するための手段】
【０００８】
前述の目的を達成するため、本発明の第１の態様である集合住宅インターホンシステムは、来訪者が居住者を呼び出して通話を成立させるための集合玄関機と、集合玄関機からの呼び出しを確認した居住者が応答して来訪者との間で通話を成立させるとともに、防犯センサが接続され防犯センサからの入力により警報を発報するための居室親機と、管理人が居住者との間で通話を成立させるための管理室親機と、集合玄関機、居室親機、管理室親機をそれぞれ制御するための制御機とを備えたものである。居室親機は、防犯センサからの入力により警報を発報するためのスピーカと、防犯センサの防犯設定および解除の操作を行うためのタッチパネル操作部と、防犯設定を解除するためタッチパネル操作部の操作により順次読み出される座標情報を予めメモリに記憶されている座標情報と比較照合する制御を行い、比較照合された結果、一致したときには防犯設定を解除し、不一致のときには防犯設定を維持するためのＣＰＵとを有している。ＣＰＵは、タッチパネル操作部の操作により入力されてメモリに記憶される座標情報として居住者によって使用されるユーザーパターンを新規登録し、その後に変更する機能を有している。メモリは、管理人や警備会社によって使用されるマスターパターンを記憶している。管理室親機は、全ての居室親機のマスターパターンを変更するためのパターン変更手段を備えている。
【０００９】
また、本発明の第２の態様である集合住宅インターホンシステムは、来訪者が居住者を呼び出して通話を成立させるための集合玄関機と、集合玄関機からの呼び出しを確認した居住者が応答して来訪者との間で通話を成立させるとともに、防犯センサが接続され防犯センサからの入力により警報を発報するための居室親機と、集合玄関機、居室親機をそれぞれ制御するための制御機と、警報の履歴等の情報を管理するための管理装置とを備えたものである。居室親機は、防犯センサからの入力により警報を発報するためのスピーカと、防犯センサの防犯設定および解除の操作を行うためのタッチパネル操作部と、防犯設定を解除するためタッチパネル操作部の操作により順次読み出される座標情報を予めメモリに記憶されている座標情報と比較照合する制御を行い、比較照合された結果、一致したときには防犯設定を解除し、不一致のときには防犯設定を維持するためのＣＰＵとを有している。ＣＰＵは、タッチパネル操作部の操作により入力されてメモリに記憶される座標情報として居住者によって使用されるユーザーパターンを新規登録し、その後に変更する機能を有している。メモリは、管理人や警備会社によって使用されるマスターパターンを記憶している。管理装置は、全ての居室親機のマスターパターンを変更するためのパターン変更手段を備えている。
【発明の効果】
【００１０】
本発明の集合住宅インターホンシステムによれば、防犯センサの防犯設定の解除を行うにあたり有効な選択順序として、居住者によって使用されるユーザーパターンおよび管理人や警備会社（の社員）によって使用されるマスターパターンを居室親機のメモリに予め記憶（登録）させることができる。また、防犯センサが設置された住戸内外の窓やドア、若しくはその付近から住戸内へと泥棒等の不審者が侵入し、居室親機にて警報が発報され、タッチパネル操作部にて所定の操作が行われると、この操作を検出したＣＰＵにて座標情報（のパターン）が順次読み出される。ＣＰＵは、順次読み出された座標情報（のパターン）と予めメモリに記憶（登録）されているユーザーパターンとを比較照合し、警報の発報から一定時間が経過したときには、順次読み出された座標情報（のパターン）とユーザーパターンとを比較照合する、或いは順次読み出された座標情報（のパターン）とユーザーパターンと当該ユーザーパターンおよびマスターパターンのうち何れか一方とを比較照合する。比較照合された結果、一致したときには防犯設定が解除され、不一致のときには防犯設定が維持されるため、居住者のみならず管理人や警備会社（の社員）による防犯設定の解除が容易であり利便性が高められる。一方、泥棒等の不審者による警報の発報の解除は困難であり防犯性が高められる。
【００１１】
また、本発明の集合住宅インターホンシステムによれば、管理人や警備会社（の社員）は、警報の発報後でなければ防犯設定の解除を行うことができないため、防犯性が高められる。
【００１２】
さらに、本発明の集合住宅インターホンシステムによれば、居住者によって使用されるユーザーパターンおよび管理人や警備会社（の社員）によって使用されるマスターパターンのうち、ユーザーパターンについては新規登録後に任意に変更することができ利便性が高められる。一方、全ての居室親機のマスターパターンは、管理室親機または管理装置を使用して容易に変更（一括変更）することができ利便性が高められる。
【発明を実施するための最良の形態】
【００１３】
以下、本発明の集合住宅インターホンシステムを適用した最良の実施の形態例について、図面を参照して説明する。
【００１４】
図１は、本発明の第１の実施例による集合住宅インターホンシステムの構成を示すシステム説明図である。
【００１５】
図１に示す集合住宅インターホンシステムは、マンション等の集合住宅において、集合玄関に設置された集合玄関機１と、複数の住戸のそれぞれの住戸玄関、若しくはその付近に設置された玄関子機２ａ、２ｂ、・・・と、複数の住戸のそれぞれの住戸内外の窓やドア、若しくはその付近に設置された防犯センサ３ａ、３ｂ、・・・と、複数の住戸のそれぞれの住戸内に設置されており、子機ラインＬ1a、Ｌ1b、・・・を経由して自住戸の玄関子機２ａ、２ｂ、・・・、センサラインＬ2a、Ｌ2b、・・・を経由して自住戸の防犯センサ３ａ、３ｂ、・・・がそれぞれ接続された居室親機４ａ、４ｂ、・・・と、管理室内に設置された管理室親機５と、玄関機ラインＬ3を経由して接続された集合玄関機１、居室親機ラインＬ4を経由して接続（バス接続）された居室親機３ａ、３ｂ、・・・および管理室親機ラインＬ5を経由して接続された管理室親機５をそれぞれ制御するための制御機６ａとを備えている。
【００１６】
なお、制御機６ａには、集合玄関機１、居室親機４ａ、４ｂ、・・・および管理室親機５の他に、公衆回線や特別な通信回線網を経由して図示しない警備会社（のコンピュータやサーバ）が接続されている。
【００１７】
集合玄関機１は、操作部（以下、玄関機操作部という。）１００、表示部（以下、玄関機表示部という。）１０１、カメラ（以下、玄関機カメラという。）１０２、マイク（以下、玄関機マイクという。）１０３およびスピーカ（以下、玄関機スピーカ）１０４を有している。
【００１８】
この集合玄関機１において、玄関機操作部１００は、複数の住戸のぞれぞれの住戸内に在室中の居住者のうち特定の居住者、または管理室内に在室中の管理人を呼び出すにあたり、来訪者が所定の呼出操作を行うためのものである。この玄関機操作部１００としては、テンキーボタン、呼出ボタン、管理室ボタン等が好適とされる。
【００１９】
玄関機表示部１０１は、来訪者により行われた玄関機操作部１００の操作情報を文字メッセージや絵データ等で表示するためのものである。この玄関機表示部１０１としては、ＬＣＤ（Liquid Crystal Display）、有機ＥＬ（Electro Luminescence）ディスプレイ等の各種モニタが好適とされる。
【００２０】
玄関機カメラ１０２は、呼出操作を行った来訪者や自玄関機が設置された周囲環境の映像を撮像するためのものである。この玄関機カメラ１０２としては、ＣＣＤ（Charge Coupled Devices）、ＣＭＯＳ（Complementary Metal Oxide Semiconductor）等の各種撮像素子が好適とされる。
【００２１】
玄関機マイク１０３および玄関機スピーカ１０４は、来訪者が居住者または管理人との間で（拡声による）通話を成立させるにあたり、音声（送話音声、受話音声）を入出力するためのものである。
【００２２】
また、玄関子機２ａ、２ｂ、・・・はそれぞれ同様な構成であり、操作部（以下、子機操作部という。）２００、カメラ（以下、子機カメラという。）２０１、マイク（以下、子機マイクという。）２０２およびスピーカ（以下、子機スピーカという。）２０３を有している。
【００２３】
この玄関子機２ａ、２ｂ、・・・において、子機操作部２００は、住戸内に在室中の居住者を呼び出すにあたり、来訪者が所定の呼出操作を行うためのものである。この子機操作部２００としては、呼出ボタン等が好適とされる。
【００２４】
子機カメラ２０１は、呼出操作を行った来訪者や自子機が設置された周囲環境の映像を撮像するためのものである。この子機カメラ２０１としては、ＣＣＤ、ＣＭＯＳ等の各種撮像素子が好適とされる。
【００２５】
子機マイク２０２および子機スピーカ２０３は、来訪者が居住者との間で（拡声による）通話を成立させるにあたり、音声（送話音声、受話音声）を入出力するためのものである。なお、子機スピーカ２０３は、自住戸の防犯センサ３ａ、３ｂ、・・・にて検知された警報の内容を示す警報音（音声メッセージを含む。）を鳴動する機能も有している。
【００２６】
また、居室親機４ａ、４ｂ、・・・はそれぞれ同様な構成であり、スピーカ（以下、居室親機スピーカという。）４００、マイク（以下、居室親機マイクという。）４０１、通話ボタン（以下、居室親機通話ボタンという。）４０２、送受話器（以下、居室親機送受話器という。）４０３、表示部（以下、居室親機表示部という。）４０４および操作部（以下、タッチパネル操作部という。）４０５を有している。
【００２７】
この居室親機４ａ、４ｂ、・・・において、居室親機スピーカ４００は、来訪者または管理人からの呼び出し（一斉呼び出しを含む。）がある旨の呼出音（音声メッセージを含む。）、防犯センサ３ａ、３ｂ、・・・にて検知された警報の内容を示す警報音（音声メッセージを含む。）をそれぞれ放音／鳴動するとともに、居住者が来訪者または管理人との間で拡声による通話を成立させるにあたり、音声（受話音声）を出力するためのものである。
【００２８】
居室親機マイク４０１は、居住者が来訪者または管理人との間で拡声による通話を成立させるにあたり、音声（送話音声）を入力するためのものである。
【００２９】
居室親機通話ボタン４０２は、居住者が来訪者または管理人からの呼び出しに応答して拡声による通話を成立させるにあたり、所定の応答操作を行うためのものである。
【００３０】
居室親機送受話器４０３は、居住者が来訪者または管理人からの呼び出しに応答してハンドセット通話を成立させるにあたり、音声（送話音声、受話音声）を入出力するためのものである。この送受話器４０３は、居住者による取り上げの有無に応じて図示しないフックスイッチがフックオフ／フックオンとなる機能を有している。
【００３１】
居室親機表示部４０４は、来訪者または管理人からの呼び出し（一斉呼び出しを含む。）がある旨の文字メッセージや絵データ等、防犯センサ３ａ、３ｂ、・・・にて検知された警報の内容を示す文字メッセージや絵データ等をそれぞれ表示するとともに、集合玄関機１の玄関機カメラ１０２または玄関子機２ａ、２ｂ、・・・の子機カメラ２０１にて撮像された映像を出画するためのものである。この居室親機表示部４０１としては、ＬＣＤ、有機ＥＬディスプレイ等の各種モニタが好適とされる。
【００３２】
タッチパネル操作部４０５は、防犯設定および当該防犯設定の解除のための所定の操作を行うにあたり、居室親機表示部４０４の表示内容を参照して所望の座標情報を選択するためのものである。なお、タッチパネル操作部４０５は、居住者が管理人を呼び出すための呼出操作機能も有している。
【００３３】
また、管理室親機５は、スピーカ（以下、管理室親機スピーカという。）５００、マイク（以下、管理室親機マイクという。）５０１、通話ボタン（以下、管理室親機通話ボタンという。）５０２、送受話器（以下、管理室親機送受話器という。）５０３、表示部（以下、管理室親機表示部という。）５０４および操作部（以下、管理室親機操作部という。）５０５を有している。
【００３４】
この管理室親機５において、管理室親機スピーカ５００は、居住者または来訪者からの呼び出しがある旨の呼出音（音声メッセージを含む。）を放音するとともに、管理人が居住者または来訪者との間で拡声による通話を成立させるにあたり、音声（受話音声）を出力するためのものである。なお、管理室親機スピーカ５００は、防犯センサ３ａ、３ｂ、・・・にて検知された警報の内容を示す警報音（音声メッセージを含む。）を鳴動する機能も有している。
【００３５】
管理室親機マイク５０１は、管理人が居住者または来訪者との間で拡声による通話を成立させるにあたり、音声（送話音声）を入力するためのものである。
【００３６】
管理室親機通話ボタン５０２は、管理人が居住者または来訪者からの呼び出しに応答して拡声による通話を成立させるにあたり、所定の応答操作を行うためのものである。
【００３７】
管理室親機送受話器５０３は、管理人が居住者または来訪者とのハンドセット通話を成立させるにあたり、音声（送話音声、受話音声）を入出力するためのものである。この送受話器５０３は、管理人による取り上げの有無に応じて図示しないフックスイッチがフックオフ／フックオンとなる機能を有している。
【００３８】
管理室親機表示部５０４は、居住者または来訪者からの呼び出しがある旨の文字メッセージや絵データ等を表示するためのものである。この管理室親機表示部５０４としては、ＬＣＤ、有機ＥＬディスプレイ等の各種モニタが好適とされる。なお、管理室親機表示部５０４は、防犯センサ３ａ、３ｂ、・・・にて検知された警報の内容を示す文字メッセージや絵データ等を表示する機能も有している。
【００３９】
管理室親機操作部５０５は、管理人が居住者または来訪者からの呼び出しに応答するための所定の操作、一斉放送を行うための所定の操作、防犯設定の解除のための所定の操作を行うものである。この管理室親機操作部５０５としては、テンキーボタン、通話ボタン、一斉放送ボタン、（防犯設定）解除ボタン等の他、居室親機４ａ、４ｂ、・・・と同様なタッチパネル操作部が好適とされる。
【００４０】
さらに、制御機６ａは、通常、集合玄関に居る来訪者が集合玄関機１にて所定の呼出操作を行った場合に呼出先である特定の居室親機４ａ、４ｂ、・・・または管理室親機５にて呼出報知させ、この報知を確認した居住者または管理人が応答したときには通話路を形成する機能、居住者が居室親機４ａ、４ｂ、・・・にて所定の呼出操作を行った場合に呼出先である管理室親機５にて呼出報知させ、この報知を確認した管理人が応答したときに通話路を形成する機能、管理人が管理室親機５にて所定の呼出操作を行った場合に呼出（一斉呼出）先である特定または全ての居室親機４ａ、４ｂ、・・・にて呼出報知させ、この報知を確認した居住者が応答したときには通話路を形成する機能等を有している。
【００４１】
図２は、本発明の第１の実施例による集合住宅インターホンシステムにおいて、居室親機４ａ、４ｂ、・・・の具体的な構成を示すブロック図である。
【００４２】
図２に示す居室親機４ａ、４ｂ、・・・はそれぞれ同様な構成であり、前述の居室親機スピーカ４００、居室親機マイク４０１、居室親機通話ボタン４０２、居室親機送受話器４０３、居室親機表示部４０４およびタッチパネル操作部４０５と、呼出検出回路４０６と、センサ検出回路４０７と、音声合成回路４０８と、通話回路４０９と、映像復調回路４１０と、メモリ４１１と、ＣＰＵ（Central Processing Unit）４１２と、第１のインターフェース（以下、子機・制御機側親機Ｉ／Ｆという。）４１３と、第２のインターフェース（以下、センサ側親機Ｉ／Ｆという。）４１４とを備えている。
【００４３】
この居室親機４ａ、４ｂ、・・・において、呼出検出回路４０６は、集合玄関機１、自住戸の玄関子機２ａ、２ｂ、・・・および管理室親機５のうち何れかの機器からの呼び出し（一斉呼び出しを含む。）があることを検出するためのものである。
【００４４】
センサ検出回路４０７は、自住戸の防犯センサ３ａ、３ｂ、・・・にて検知された警報を検出するためのものである。
【００４５】
音声合成回路４０８は、居室親機スピーカ４００（および自住戸の玄関子機２ａ、２ｂ、・・・の子機スピーカ２０３）から出力させる呼出音、確認音、警報音や音声メッセージ等を生成して信号処理を行う、例えば、増幅等を行うためのものである。
【００４６】
通話回路４０９は、親機スピーカ４００および親機マイク４０１を使用した拡声による通話、または居室親機送受話器４０３を使用したハンドセット通話のうち、何れか一方の通話を能動とするために通話路を形成して信号処理を行う、例えば、４線／２線変換、２線／４線変換、増幅等を行うためのものである。
【００４７】
映像復調回路４１０は、集合玄関機１の玄関機カメラ１０２、または自住戸の玄関子機２ａ、２ｂ、・・・の子機カメラ２０１にて撮像された映像であり信号処理、例えば、ＦＭ変調が行われた後に伝送されてくる映像変調信号を復調して居室親機表示部４０４の後述する呼出・映像表示画面４０４ａに出画させるためのものである。
【００４８】
メモリ４１１は、自住戸の防犯センサ３ａ、３ｂ、・・・の防犯設定の解除を行うために居住者によって使用される後述するユーザーパターンＰ1を新規登録または変更登録するとともに、管理人や警備会社（の社員）によって使用される後述するマスターパターンＰ2が予め記憶（登録）されたものである。このメモリ４１１としては、ＲＡＭ（Random Access Memory）、ＥＥＰＲＯＭ（Electrically Erasable Programmable Read Only Memory）等の各種不揮発性メモリが好適とされる。なお、メモリ４１１は、図１に表される。
【００４９】
ＣＰＵ４１２は、当該居室親機の構成各部／回路をそれぞれ制御するためのものである。なお、ＣＰＵ４１２は、図１に表される。
【００５０】
子機・制御機側Ｉ／Ｆ４１３は、呼出検出回路４０６、音声合成回路４０８、通話回路４０９、映像復調回路４１０、ＣＰＵ４１２の構成各部／回路および子機ラインＬ1a、Ｌ1b、・・・、居室親機ラインＬ4の間の信号伝送路をそれぞれ形成するためのものである。
【００５１】
センサ側Ｉ／Ｆ４１４は、センサ検出回路４０７およびセンサラインＬ2a、Ｌ2b、・・・の間の信号伝送路を形成するためのものである。
【００５２】
また、居室親機４ａ、４ｂ、・・・において、それぞれの居室親機表示部４０４は、ＣＰＵ４１２の制御によりその出画が切り換えられる呼出・映像表示画面４０４ａ、警報表示画面４０４ｂ、パターン入力画面４０４ｃ、防犯設定完了画面４０４ｄおよび防犯設定解除画面４０４ｅを有している。
【００５３】
この居室親機表示部４０４において、呼出・映像表示画面４０４ａは、集合玄関機１、自住戸の玄関子機２ａ、２ｂ、・・・、または管理室親機５からの呼び出し（一斉呼び出しを含む。）の内容を示す文字メッセージや絵データ等を表示するとともに、当該集合玄関機の玄関機カメラ１０２または当該玄関子機の子機カメラ２０１にて撮像された映像を出画するためのものである。
【００５４】
警報表示画面４０４ｂは、自住戸の防犯センサ３ａ、３ｂ、・・・からの入力により警報の内容を示す文字メッセージや絵データ等を表示するためのものである。
【００５５】
パターン入力画面４０４ｃは、自住戸の防犯センサ３ａ、３ｂ、・・・の防犯設定の解除を行うために居住者によって使用される後述するユーザーパターンＰ1や管理人や警備会社（の社員）によって使用される後述するマスターパターンＰ2を入力するための絵データや色データ等を表示するものである。
【００５６】
防犯設定完了画面４０４ｄは、自住戸の防犯センサ３ａ、３ｂ、・・・の防犯設定が完了した内容を示す文字メッセージや絵データ等を表示するためのものである。
【００５７】
防犯設定解除画面４０４ｅは、自住戸の防犯センサ３ａ、３ｂ、・・・の防犯設定の解除を行うための絵データや色データ等が表示されるものである。
【００５８】
さらに、居室親機４ａ、４ｂ、・・・において、それぞれのタッチパネル操作部４０５は、パターン入力部４０５ａ、防犯設定部４０５ｂおよび防犯設定解除部４０５ｃを有している。
【００５９】
このタッチパネル操作部４０５において、パターン入力部４０５ａは、自住戸の防犯センサ３ａ、３ｂ、・・・の防犯設定の解除を行うために居住者によって使用される後述するユーザーパターンＰ1をメモリ４１１に予め記憶（登録）、または変更（変更登録）するための操作が行われるものである。
【００６０】
防犯設定部４０５ｂは、居住者が防犯設定を完了させるための操作を行うものである。
【００６１】
防犯設定解除部４０５ｃは、居住者のみならず管理人や警備会社（の社員）が防犯設定を解除させるための操作を行うものである。
【００６２】
このように構成された本発明の第１の実施例による集合住宅インターホンシステムにおいて、以下、具体的な動作について、図１、図２および図３、図４（ａ）、（ｂ）、（ｃ）の各画面構成図をそれぞれ参照して説明する。ここで、図３は、居室親機４ａ、４ｂ、・・・の居室親機表示部４０４に出画されるパターン入力画面４０４ｃの一例を示す画面構成図である。また、図４（ａ）、（ｂ）、（ｃ）は、それぞれ居室親機４ａ、４ｂ、・・・の居室親機表示部４０４に出画される防犯設定解除画面４０４ｅの一例を示す画面構成図である。
【００６３】
なお、本発明の第１の実施例において、集合玄関機１の玄関機操作部１００または玄関子機２ａ、２ｂ、・・・の子機操作部２００にて来訪者が所定の呼出操作を行い、呼出先である特定の居室親機４ａ、４ｂ、・・・の居室親機スピーカ４００から呼出音や音声メッセージ等を出力させる動作と、集合玄関機１の玄関機操作部１００にて来訪者が所定の呼出操作を行い、呼出先である管理室親機５の管理室親機スピーカ５００から呼出音や音声メッセージ等を出力させる動作と、前述の呼出操作が行われた何れかの機器のカメラ１０２、２０１にて撮像された映像を、呼出先である特定の居室親機４ａ、４ｂ、・・・の居室親機表示部４０４の呼出・映像表示画面４０４ａまたは管理室親機５の管理室親機表示部５０４に呼出情報を示す文字メッセージや絵データ等とともに出画／表示させる動作と、来訪者からの呼び出しを確認した居住者が居室親機スピーカ４００および居室親機マイク４０１を使用した拡声による通話、または居室親機送受話器４０３を使用したハンドセット通話を成立させる動作と、来訪者からの呼び出しを確認した管理人が管理室親機スピーカ５００および管理室親機マイク５０１を使用した拡声による通話、または管理室親機送受話器５０３を使用したハンドセット通話を成立させる動作については、前述の背景技術を含む各種の先行技術や他のインターホン技術等において開示されている内容と同様であり公知の技術であることから、これら動作の説明は省略する。
【００６４】
図２において、自住戸の防犯センサ３ａ、３ｂ、・・・の防犯設定の解除を行う、ここでは、防犯センサ３ａの防犯設定の解除を行うにあたり、この防犯センサ３ａがセンサラインＬ2aを経由して接続された居室親機４ａのメモリ４１１に、居住者によって使用されるユーザーパターンＰ1を予め記憶（登録）させるためには、最初の操作として、居住者がタッチパネル操作部４０５のパターン入力部４０５ａを操作する。この操作を検出したＣＰＵ４１２は、図３の画面構成図に示すようなパターン入力画面４０４ｃを居室親機表示部４０４に出画させることができる。
【００６５】
この後、居室親機４ａの居室親機表示部４０４に出画されているパターン入力画面４０４ｃ上の絵データ、ここでは、「風船、（うさぎの）顔、（うさぎの）耳、（うさぎの）胴体」、色データ、ここでは、「青、赤、白、黄、緑、黒」および決定ボタンのうち、例えば、（１）風船→（２）黄→（３）（うさぎの）耳→（４）白→（５）決定ボタンの順序で選択入力されるように居住者がタッチパネル操作部４０５を操作すると、この操作を検出したＣＰＵ４１２は、選択入力されたデータにそれぞれ割り当てられている座標情報（のパターン）を順次読み出すことができる。
【００６６】
また、居室親機４ａのＣＰＵ４１２は、順次読み出された座標情報（のパターン）をもとに、防犯センサ３ａの防犯設定の解除を行うにあたり有効な選択順序として、居住者によって使用されるユーザーパターンＰ1｛（１）風船→（２）黄→（３）（うさぎの）耳→（４）白｝を、メモリ４１１に新規登録することができる。
【００６７】
さらに、居室親機４ａのメモリ４１１に新規登録されたユーザーパターンＰ1｛（１）風船→（２）黄→（３）（うさぎの）耳→（４）白｝は、その登録後において、タッチパネル操作部４０５のパターン入力部４０５ａを使用した他のユーザーパターンの選択入力によって容易に変更登録することができる。
【００６８】
なお、前述までの新規登録または変更登録と同様な操作を住戸毎に行うことにより、防犯センサ３ａがセンサラインＬ2aを経由して接続された居室親機４ａのみならず、他の防犯センサ３ｂ、・・・がセンサラインＬ2b、・・・を経由してそれぞれ接続された居室親機４ｂ、・・・において、居住者によって使用されるユーザーパターンＰ1をメモリ４１１に新規登録または変更登録することができる。
【００６９】
また、全ての居室親機４ａ、４ｂ、・・・のメモリ４１１には、それぞれユーザーパターンＰ1のみならず、自住戸の防犯センサ３ａ、３ｂ、・・・の防犯設定の解除を行うにあたり有効な選択順序として、管理人や警備会社（の社員）によって使用されるマスターパターンＰ2、例えば、（１）風船→（２）黒→（３）（うさぎの）耳→（４）緑が共通の当該マスターパターンとして予め記憶（登録）されているものとする。
【００７０】
次に、防犯センサ３ａ、３ｂ、・・・のうち、ここでは、防犯センサ３ａの防犯設定の解除を行うにあたり有効な選択順序として、居住者によって使用されるユーザーパターンＰ1｛（１）風船→（２）黄→（３）（うさぎの）耳→（４）白｝および管理人や警備会社（の社員）によって使用されるマスターパターンＰ2｛（１）風船→（２）黒→（３）（うさぎの）耳→（４）緑｝が居室親機４ａのメモリ４１１に予め記憶（登録）されている場合において、居住者が外出等で住戸内を不在とする前の操作としては、タッチパネル操作部４０５の防犯設定部４０５ｂを操作する。この操作を検出したＣＰＵ４１２は、音声合成回路４０８を制御して防犯センサ３ａの防犯設定が完了した内容を示す確認音や音声メッセージ等、例えば、「ピンポーン、防犯設定が完了しました。」を親機スピーカ４００から放音させるとともに、居室親機表示部４０４を制御して出画させた図示しない防犯設定完了画面４０４ｄ上に、例えば、「防犯設定が完了しました。」のような文字メッセージを表示させることができる。また、居住者は、前述の放音／表示を確認した後、外出先へと向かうことになる。
【００７１】
なお、前述までの防犯設定操作と同様な操作を住戸毎に行うことにより、防犯センサ３ａがセンサラインＬ2aを経由して接続された居室親機４ａのみならず、他の防犯センサ３ｂ、・・・がセンサラインＬ2b、・・・を経由してそれぞれ接続された居室親機４ｂ、・・・において同様な放音／表示が可能となり、これを確認した後、居住者は外出先へと向かうことになる。
【００７２】
次に、防犯センサ３ａ、３ｂ、・・・のうち、ここでは、防犯センサ３ａの防犯設定が行われている場合において、外出先から住戸内に帰宅した居住者が防犯設定の解除を行うためには、最初の操作として、居室親機４ａのタッチパネル操作部４０５の防犯設定解除部４０５ｃを操作する。この操作を検出したＣＰＵ４１２は、居室親機表示部４０４を制御して図４（ａ）の画面構成図に示すような防犯設定解除画面４０４ｅを出画させることができる。
【００７３】
この後、居住者が居室親機４ａのタッチパネル操作部４０５の防犯設定解除部４０５ｃをタッチ操作して、メモリ４１１に予め記憶（登録）されているユーザーパターンＰ1と同一のパターン、すなわち、居室親機表示部４０４に出画されている防犯設定解除画面４０４ｅ上の絵データ「風船、（うさぎの）顔、（うさぎの）耳、（うさぎの）胴体」、色データ「青、赤、白、黄、緑、黒」および決定ボタンのうち、（１）風船→（２）黄→（３）（うさぎの）耳→（４）白→（５）決定ボタンの順序で選択入力すると、この操作を検出したＣＰＵ４１２は、選択入力されたデータにそれぞれ割り当てられている座標情報（のパターン）を順次読み出すことができる。
【００７４】
また、居室親機４ａのＣＰＵ４１２は、順次読み出された座標情報（のパターン）とメモリ４１１に予め記憶（登録）されているユーザーパターンＰ1とを比較照合する。ここでは、順次読み出された座標情報（のパターン）とユーザーパターンＰ1とが一致することから防犯センサ３ａの防犯設定を解除することができる。
【００７５】
一方、居室親機４ａのタッチパネル操作部４０５の防犯設定解除部４０５ｃを操作して選択入力された座標情報（のパターン）が、メモリ４１１に予め記憶（登録）されているユーザーパターンＰ1｛（１）風船→（２）黄→（３）（うさぎの）耳→（４）白｝と一致せず不一致であると検出したＣＰＵ４１２は、居住者による防犯設定の解除の操作が無効であると判断して当該防犯設定を維持することができる。
【００７６】
次に、防犯センサ３ａ、３ｂ、・・・のうち、ここでは、防犯センサ３ａの防犯設定が行われている場合において、泥棒等の不審者が住戸内外の窓やドア、若しくはその付近から住戸内に侵入すると、この侵入を検知した防犯センサ３ａからの信号がセンサラインＬ2a、居室親機４ａのセンサ側Ｉ／Ｆ４１４を経由してセンサ検出回路４０７へと伝送される。
【００７７】
居室親機４ａのセンサ検出回路４０７は、防犯センサ３ａからの信号を検出すると、泥棒等の不審者による住戸内への侵入があることを示す防犯異常信号をＣＰＵ４１２に出力する。
【００７８】
居室親機４ａのＣＰＵ４１２は、センサ検出回路４０７からの防犯異常信号を検出すると、音声合成回路４０８を制御して泥棒等の不審者による住戸内への侵入があることを示す警報音や音声メッセージ等、例えば、「ブーブー、窓やドアにて防犯異常が発生しました。」を親機スピーカ４００から鳴動させるとともに、居室親機表示部４０４を制御して出画させた図示しない警報表示画面４０４ｂ上に、例えば、「窓やドアにて防犯異常が発生しました。」のような文字メッセージを表示させて警報の発報を行うことができる。
【００７９】
なお、居室親機４ａのＣＰＵ４１２は、警報の発報について親機スピーカ４００および居室親機表示部４０４を使用して行うのみならず、音声合成回路４０８にて生成させた警報音や音声メッセージ等を子機・制御機側Ｉ／Ｆ４１３、子機ラインＬ1aを介して自住戸の玄関子機２ａに転送し、当該玄関子機の子機スピーカ２０３から鳴動させることもできる。また、居室親機４ａのＣＰＵ４１２は、窓やドアにて防犯異常が発生している旨の警報の情報を集合玄関機１および管理室親機５や図示しない警備会社（のコンピュータ）に転送し、警報移報することもできる。
【００８０】
次に、居室親機４ａのＣＰＵ４１２の制御による警報移報を確認した人物、例えば、玄関子機２ａの周囲近傍または管理室内に在室中の管理人や警備会社（の社員）が警報発報元の住戸へと駆け付けた後、防犯設定の解除を行うためには、最初の操作として、タッチパネル操作部４０５の防犯設定解除部４０５ｃを操作する。この操作を検出したＣＰＵ４１２は、居室親機表示部４０４を制御して図４（ｂ）の画面構成図に示すような防犯設定解除画面４０４ｅを出画させることができる。
【００８１】
この後、管理人や警備会社（の社員）が居室親機４ａのタッチパネル操作部４０５の防犯設定解除部４０５ｃを操作して、メモリ４１１に予め記憶（登録）されているマスターパターンＰ2と同一のパターン、すなわち、居室親機表示部４０４に出画されている防犯設定解除画面４０４ｅ上の絵データ「風船、（うさぎの）顔、（うさぎの）耳、（うさぎの）胴体」、色データ「青、赤、白、黄、緑、黒」および決定ボタンのうち、（１）風船→（２）黒→（３）（うさぎの）耳→（４）緑→（５）決定ボタンの順序で選択入力すると、この操作を検出したＣＰＵ４１２は、選択入力されたデータにそれぞれ割り当てられている座標情報（のパターン）を順次読み出すことができる。
【００８２】
また、居室親機４ａのＣＰＵ４１２は、親機スピーカ４００および居室親機表示部４０４に出画されている図示しない警報表示画面４０４ｂを使用した前述の警報の発報の開始時から一定時間が経過しているため、順次読み出された座標情報（のパターン）とメモリ４１１に予め記憶（登録）されているマスターパターンＰ2とを比較照合する。ここでは、順次読み出された座標情報（のパターン）とマスターパターンＰ2とが一致することから防犯センサ３ａの防犯設定の解除を行うことができ、ゆえに、警報の発報が停止する。
【００８３】
なお、管理人や警備会社（の社員）が防犯設定の解除を行うにあたり、居室親機４ａのタッチパネル操作部４０５の防犯設定解除部４０５ｃを操作して選択入力し、順次読み出された座標情報（のパターン）は、メモリ４１１に予め記憶（登録）されているマスターパターンＰ2｛（１）風船→（２）黒→（３）（うさぎの）耳→（４）緑｝に限定されず、同様にメモリ４１１に予め記憶（登録）されているユーザーパターンＰ1｛（１）風船→（２）黄→（３）（うさぎの）耳→（４）白｝および当該マスターパターンのうち何れか一方のパターンと比較照合させることができる。すなわち、管理人や警備会社（の社員）は、ユーザーパターンＰ1を予め知り得ている場合には、マスターパターンＰ2のみならずユーザーパターンＰ1を使用して防犯センサ３ａの防犯設定の解除を行うことができ、ゆえに、警報の発報が停止する。
【００８４】
なお、前述までの防犯設定の解除のための操作と同様な操作を住戸毎に行うことにより、防犯センサ３ａがセンサラインＬ2aを経由して接続された居室親機４ａのみならず、他の防犯センサ３ｂ、・・・がセンサラインＬ2b、・・・を経由してそれぞれ接続された居室親機４ｂ、・・・において、防犯センサ３ｂ、・・・の防犯設定の解除を行うことができ、ゆえに、警報の発報が停止する。
【００８５】
次に、住戸内へと侵入した泥棒等の不審者、ここでは、居室親機４ａが設置されている住戸内へと侵入した泥棒等の不審者が居室親機スピーカ４００および居室親機表示部４０４に出画されている図示しない警報表示画面４０４ｂを使用した警報の発報を停止させるために、最初の操作として、タッチパネル操作部４０５の防犯設定解除部４０５ｃを操作すると、この操作を検出したＣＰＵ４１２は、居室親機表示部４０４を制御して図４（ｃ）の画面構成図に示すような防犯設定解除画面４０４ｅを出画させることができる。
【００８６】
この後、泥棒等の不審者が居室親機４ａのタッチパネル操作部４０５の防犯設定解除部４０５ｃを操作して、居室親機表示部４０４に出画されている防犯設定解除画面４０４ｅ上の絵データ「風船、（うさぎの）顔、（うさぎの）耳、（うさぎの）胴体」、色データ「青、赤、白、黄、緑、黒」および決定ボタンのうち、例えば、（１）（うさぎの）顔→（２）赤→（３）青→（４）風船→（５）決定ボタンの順序で選択入力すると、この操作を検出したＣＰＵ４１２は、選択入力されたデータにそれぞれ割り当てられている座標情報（のパターン）を順次読み出すことができる。
【００８７】
また、居室親機４ａのＣＰＵ４１２は、親機スピーカ４００および居室親機表示部４０４に出画されている図示しない警報表示画面４０４ｂを使用した警報の発報の開始時から一定時間が経過しているため、順次読み出された座標情報（のパターン）とメモリ４１１に予め記憶（登録）されているマスターパターンＰ2｛（１）風船→（２）黒→（３）（うさぎの）耳→（４）緑｝とを比較照合する。ここでは、順次読み出された座標情報（のパターン）とマスターパターンＰ2とが一致せず不一致であることから防犯センサ３ａの防犯設定が維持され、ゆえに、親機スピーカ４００および居室親機表示部４０４に出画されている図示しない警報表示画面４０４ｂを使用した警報の発報も維持されることになる。
【００８８】
なお、前述のように、泥棒等の不審者が防犯設定の解除を行うにあたり、居室親機４ａのタッチパネル操作部４０５の防犯設定解除部４０５ｃを操作して選択入力され順次読み出された座標情報（のパターン）と比較照合される座標情報（のパターン）は、メモリ４１１に予め記憶（登録）されているマスターパターンＰ2に限定されず、メモリ４１１に予め記憶（登録）されているユーザーパターンＰ1およびマスターパターンＰ2のうち何れか一方のパターンと比較照合させることができ、何れのパターンと比較照合させた場合においても当該パターンが一致せず不一致であることから防犯センサ３ａの防犯設定が維持され、ゆえに、親機スピーカ４００および居室親機表示部４０４に出画されている図示しない警報表示画面４０４ｂを使用した警報の発報も維持されることになる。
【００８９】
次に、全ての居室親機４ａ、４ｂ、・・・のメモリ４１１にそれぞれ予め記憶（登録）されているマスターパターンＰ2を変更（一括変更）するにあたっては、その操作として、管理人が管理室親機５の管理室親機操作部５０５を使用して所定の変更起動操作を行った後、新規のマスターパターンＰ2aを作成する。この新規マスターパターンＰ2aは、信号処理された後、管理室親機ラインＬ5、制御機６ａ、居室親機ラインＬ4、全ての居室親機４ａ、４ｂ、・・・の子機・制御機側Ｉ／Ｆ４１３を経由してＣＰＵ４１２へとそれぞれ伝送される。
【００９０】
全ての居室親機４ａ、４ｂ、・・・において、ＣＰＵ４１２は、管理室親機５からの新規マスターパターンＰ2aを自住戸宛ての情報であると検出し、メモリ４１１に予め記憶（登録）されているマスターパターンＰ2に新規マスターパターンＰ2aを上書きさせて保存することができる。
【００９１】
また、前述のようなマスターパターンの上書き保存が正常に行われると、これを検出した全ての居室親機４ａ、４ｂ、・・・のＣＰＵ４１２は、それぞれ上書き終了信号を生成する。この上書き終了信号は、前述の新規マスターパターンＰ2aの信号伝送ラインと逆の順路を経由して管理室親機５へと伝送される。
【００９２】
管理室親機５は、伝送されてきた上書き終了信号をもとに全ての居室親機４ａ、４ｂ、・・・のマスターパターンの登録状況を確認し、その旨の内容の文字メッセージや絵データ等を管理室親機表示部５０４に表示させることができる。この表示を確認した管理人にとっては、マスターパターンの変更が正常に行われたか否かを容易に判断でき、必要に応じて再度、新規マスターパターンＰ2aの作成および送信を行うことになる。
【００９３】
前述の説明から明らかなように、本発明の第１の実施例によれば、居住者のみならず管理人や警備会社（の社員）による防犯設定の解除が容易であり利便性が高められる。一方、泥棒等の不審者による警報の発報の解除は困難であり防犯性が高められる。また、管理人や警備会社（の社員）によって使用される全ての居室親機４ｂ、４ｂ、・・・のマスターパターンＰ2は、管理室親機５を使用して容易に変更（一括変更）することができ利便性が高められる。
【００９４】
次に、本発明の第２の実施例による集合住宅インターホンシステムについて、図面を参照して説明する。なお、前述の第１の実施例に引用された図１、図２の記載と同様な構成各部／回路については、同一の符号を付与して説明は省略するものとする。
【００９５】
図５は、本発明の第２の実施例による集合住宅インターホンシステムの構成を示すシステム説明図である。
【００９６】
図５に示す集合住宅インターホンシステムは、集合玄関機１、玄関子機２ａ、２ｂ、・・・、防犯センサ３ａ、３ｂ、・・・および居室親機４ａ、４ｂ、・・・と、防犯センサ３ａ、３ｂ、・・・にて検知された警報の履歴や各種の画像ファイル、伝言メモ情報等、当該インターホンシステムの情報を管理／蓄積するための管理装置７と、玄関機ラインＬ3を経由して接続された集合玄関機１、居室親機ラインＬ4を経由して接続（バス接続）された居室親機３ａ、３ｂ、・・・および管理装置ラインＬ6を経由して接続された管理装置７をそれぞれ制御するための制御機６ｂとを備えている。
【００９７】
なお、制御機６ｂには、集合玄関機１、居室親機４ａ、４ｂ、・・・の他に、公衆回線や特別な通信回線網を経由して図示しない警備会社（のコンピュータやサーバ）が接続されている。
【００９８】
また、管理装置７は、操作部７００、表示部７０１が備えられたコンピュータ７ａと、コンピュータ７ａとの間で有線または無線によるデータ通信を行うことができるサーバ７ｂとを有している。
【００９９】
この管理装置７のコンピュータ７ａにおいて、操作部７００は、当該コンピュータの使用者が行う操作として、例えば、全ての居室親機４ａ、４ｂ、・・・の後述するマスターパターンＰ2を変更（一括変更）する機能、サーバ７ｂに予め記憶（登録）されている当該マスターパターンや警報の履歴等を読み出す機能を有している。また、操作部７００としては、マウス、キーボードの他、居室親機４ａ、４ｂ、・・・と同様なタッチパネル操作部が好適とされる。
【０１００】
表示部７０１は、操作部７００の操作情報を文字メッセージや絵データ等を表示するとともに、サーバ７ｂから読み出された各種情報、例えば、全ての居室親機４ａ、４ｂ、・・・の後述するマスターパターンＰ2や警報の履歴等を表示するためのものである。この表示部７０１としては、ＬＣＤ、有機ＥＬディスプレイ等の各種モニタが好適とされる。
【０１０１】
さらに、管理装置７のコンピュータ７ａおよび制御機６ｂの間の接続は、管理装置ラインＬ6を経由した接続に限定されず、ハブ等の分岐器を使用して単一の制御機６ｂに複数台のコンピュータ７ａ、７ａ、・・・を接続することもできる。
【０１０２】
このように構成された本発明の第２の実施例による集合住宅インターホンシステムにおいて、以下、具体的な動作を図１、図３、図４（ａ）、（ｂ）、（ｃ）および図５をそれぞれ参照して説明するにあたり、前述の第１の実施例と同様な動作の説明は省略するものとし、異なる動作についてのみ説明するものとする。
【０１０３】
次に、全ての居室親機４ａ、４ｂ、・・・のメモリ４１１にそれぞれ予め記憶（登録）されているマスターパターンＰ2を変更（一括変更）するにあたっては、その操作として、管理人や警備会社（の社員）が管理装置７のコンピュータ７ａを操作、例えば、操作部７００および表示部７０１を使用して所定の変更起動操作を行った後、新規のマスターパターンＰ2bを作成する。この新規マスターパターンＰ2bは、信号処理された後、管理装置ラインＬ6、制御機６ｂ、居室親機ラインＬ4、全ての居室親機４ａ、４ｂ、・・・の子機・制御機側Ｉ／Ｆ４１３を経由してＣＰＵ４１２へと伝送される。
【０１０４】
全ての居室親機４ａ、４ｂ、・・・において、ＣＰＵ４１２は、管理装置７のコンピュータ７ａからの新規マスターパターンＰ2bを自住戸宛ての情報であると検出し、メモリ４１１に予め記憶（登録）されているマスターパターンＰ2に新規マスターパターンＰ2bを上書きさせて保存することができる。
【０１０５】
また、前述のようなマスターパターンの上書き保存が正常に行われると、これを検出した全ての居室親機４ａ、４ｂ、・・・のＣＰＵ４１２は、それぞれ上書き終了信号を生成する。この上書き終了信号は、前述の新規マスターパターンＰ2bの信号伝送ラインと逆の順路を経由して管理装置７のコンピュータ７ａへと伝送される。
【０１０６】
管理装置７のコンピュータ７ａは、伝送されてきた上書き終了信号をもとに全ての居室親機４ａ、４ｂ、・・・のマスターパターンの登録状況を確認し、その旨の内容の文字メッセージや絵データ等を表示部７０１に表示させることができる。この表示を確認した管理人や警備会社（の社員）にとっては、マスターパターンの変更が正常に行われたか否かを容易に判断でき、必要に応じて再度、新規マスターパターンＰ2bの作成および送信を行うことになる。
【０１０７】
なお、管理装置７のコンピュータ７ａは、管理人や警備会社（の社員）によって使用される全ての居室親機４ａ、４ｂ、・・・のマスターパターンＰ2（Ｐ2b）をサーバ７ｂに記憶（登録）させ、必要に応じて容易に閲覧することができる。
【０１０８】
前述の説明から明らかなように、本発明の第２の実施例によれば、前述の第１の実施例と同様、居住者のみならず管理人や警備会社（の社員）による防犯設定の解除が容易であり利便性が高められる。一方、泥棒等の不審者による警報の発報の解除は困難であり防犯性が高められる。また、管理人や警備会社（の社員）によって使用される全ての居室親機４ａ、４ｂ、・・・のマスターパターンＰ2は、管理装置７を使用して容易に変更（一括変更）することができ利便性が高められる。
【０１０９】
また、本発明の実施例によれば、全ての居室親機４ａ、４ｂ、・・・のマスターパターンＰ2を変更（一括変更）する変更手段を備えた機器として、第１の実施例に適用された管理室親機５、第２の実施例に適用された管理装置７のように実施例毎で異なる機器を適用したが、この態様に限定されるものではない。例えば、第１の実施例に管理室親機５のみならず管理装置７を設けることにより、何れかの機器を使用して全ての居室親機４ａ、４ｂ、・・・のマスターパターンＰ2を変更（一括変更）することもできる。さらには、第２の実施例においても、管理装置７のみならず管理室親機５を設けることにより、何れかの機器を使用して全ての居室親機４ａ、４ｂ、・・・のマスターパターンＰ2を変更（一括変更）することもできる。
【０１１０】
また、本発明の実施例によれば、防犯センサ３ａ、３ｂ、・・・の防犯設定の解除を行うにあたり有効な選択順序として、管理人や警備会社（の社員）によって使用されるマスターパターンＰ2が居室親機４ａ、４ｂ、・・・のメモリ４１１に予め記憶（登録）されている場合について説明したが、この態様に限定されるものではない。例えば、ユーザーパターンＰ1と同様、タッチパネル操作部４０５のパターン入力部４０５ａを使用した他のマスターパターンの選択入力によって当該マスターパターンを容易に変更登録することもできる。
【０１１１】
また、本発明の実施例によれば、居室親機４ａ、４ｂ、・・・の居室親機スピーカ４００および居室親機マイク４０１を使用した拡声による通話を成立させるにあたり、居住者が応答操作を行う居室親機通話ボタン４０２とタッチパネル操作部４０２とを別途に設けた場合に説明したが、この態様に限定されるものではない。例えば、居室親機通話ボタン４０２と同様な操作機能をタッチパネル操作部４０５に備えることもできる。
【０１１２】
また、本発明の実施例によれば、居住者が来訪者または管理人との間で通話を成立させるにあたり使用する通話機能として、居室親機４ａ、４ｂ、・・・の居室親機スピーカ４００および親機マイク４０１を使用した拡声による通話、或いは居室親機送受話器４０３を使用したハンドセット通話の何れかの通話を選択させたが、この態様に限定されるものではない。例えば、拡声による通話機能のみが備えられている当該居室親機、またはハンドセット通話機能のみが備えられている当該居室親機の適用も好適である。
【０１１３】
また、本発明の実施例によれば、管理人が居住者または来訪者との間で通話を成立させるにあたり使用する通話機能として、管理室親機５の管理室親機スピーカ５００および管理室親機マイク５０１を使用した拡声による通話、或いは管理室親機送受話器５０３を使用したハンドセット通話の何れかの通話を選択させたが、この態様に限定されるものではない。例えば、拡声による通話機能のみが備えられている当該管理室親機、またはハンドセット通話機能のみが備えられている当該管理室親機の適用も好適である。
【０１１４】
さらに、本発明の実施例によれば、居室親機４ａ、４ｂ、・・・に備えられるインターフェースとして、子機・制御機側Ｉ／Ｆ４１３およびセンサ側Ｉ／Ｆ４１４の２つの当該インターフェースが備えられている場合について説明したが、この態様に限定されるものではない。例えば、子機ラインＬ1a、Ｌ1b、・・・、センサラインＬ2a、Ｌ2b、・・・および居室親機ラインＬ4のそれぞれのライン毎に当該インターフェースを設ける、または単一の当該インターフェースを設けることもできる。
【０１１５】
なお、本発明の集合住宅インターホンシステムにおいては、特定の実施の形態をもって説明してきたが、この形態に限定されるものでなく、本発明の効果を奏する限り、これまで知られた如何なる構成であっても採用できるということはいうまでもないことである。
【図面の簡単な説明】
【０１１６】
【図１】図１は、本発明の第１の実施例による集合住宅インターホンシステムの構成を示すシステム説明図である。
【図２】図２は、本発明の第１、第２の各実施例による集合住宅インターホンシステムにおいて、居室親機の具体的な構成を示すブロック図である。
【図３】図３は、本発明の第１、第２の各実施例による集合住宅インターホンシステムにおいて、居室親機の表示部（居室親機表示部）に出画されるパターン入力画面の一例を示す画面構成図である。
【図４】図４（ａ）、（ｂ）、（ｃ）は、本発明の第１、第２の各実施例による集合住宅インターホンシステムにおいて、それぞれ居室親機の表示部（居室親機表示部）に出画される防犯設定解除画面の一例を示す画面構成図である。
【図５】図５は、本発明の第２の実施例による集合住宅インターホンシステムの構成を示すシステム説明図である。
【符号の説明】
【０１１７】
１……集合玄関機
２ａ、２ｂ、・・・……玄関子機
３ａ、３ｂ、・・・……防犯センサ
４ａ、４ｂ、・・・……居室親機
４００……居室親機スピーカ（スピーカ）
４０５……タッチパネル操作部
４１１……メモリ
４１２……ＣＰＵ
５……管理室親機
５０４……管理室親機表示部（パターン変更手段）
５０５……管理室親機操作部（パターン変更手段）
６ａ、６ｂ……制御機
７……管理装置
７００……コンピュータ７ａの操作部（パターン変更手段）
７０１……コンピュータ７ａの表示部（パターン変更手段）
Ｐ1……ユーザーパターン
Ｐ2……マスターパターン
【図１】
2007116630.tif 000003
【図２】
2007116630.tif 000004
【図３】
2007116630.tif 000005
【図４】
2007116630.tif 000006
【図５】
2007116630.tif 000007